(57)【要約】【課題】適切な枕を選択あるいは設計するために必要な頸椎高さを正確かつ簡便に測定することができる頸椎高さ測定器を提供すること。【解決手段】人体の両肩の肩甲骨部に当接させる横部材１と、横部材１から垂直上方に延びる縦部材２と、縦部材に装着される測定部材３とを備え、測定者が手に持って使用するようにした。測定部材３は、横部材１を人体の両肩の肩甲骨部に当接させた状態において人体の頸椎部に対向する位置で縦部材２に装着され、人体の頸椎部に向けて進退可能とした。さらに、頸椎高さの測定時に、測定部材３を装着した縦部材２を垂直状態として頸椎高さを正確に測定するために、縦部材２の垂直度を示す水準器６を設けた。この構成において、横部材１を両肩の肩甲骨部に水平に当接させた状態で測定部材３を頸椎部に向けて前進させ、測定部材３の先端が頸椎部に当接したときの突出長さを目盛４で計測することにより、頸椎高さを測定する。【選択図】図２
0003108462.tif 000002
【実用新案登録請求の範囲】
【請求項１】
人体の両肩の肩甲骨部に当接させる横部材と、横部材に固定されて横部材から垂直上方に延びる縦部材と、縦部材に装着される測定部材とを備え、測定者が手に持って使用する頸椎高さ測定器であって、
測定部材は、横部材を人体の両肩の肩甲骨部に当接させた状態において人体の頸椎部に対向する位置で縦部材に装着され、かつ、人体の頸椎部に向けて進退可能であり、
さらに、縦部材の垂直度を示す水準器を備えた頸椎高さ測定器。
【請求項２】
測定部材に、縦部材からの突出長さを示す目盛が設けられている請求項１に記載の頸椎高さ測定器。
【請求項３】
縦部材に、測定部材の人体の頸椎部に当接する位置から横部材までの垂直長さを示す目盛が設けられている請求項１又は２に記載の頸椎高さ測定器。
【考案の詳細な説明】
【技術分野】
【０００１】
本考案は、適切な枕を選択あるいは設計するために必要な頸椎高さを測定する頸椎高さ測定器に関する。
【背景技術】
【０００２】
人体にとって、頚椎は構造的には、脊柱の最上部に位置し、椎骨と呼ばれる頭を支える７つの首の骨が組み合わされたもので、その中に神経があり、周辺を血管、筋肉が取り巻いている。
【０００３】
そして機能的には、生命を営むために重要な脳と身体を結ぶ神経の伝達通路であって、運動神経、知覚神経、自律神経は、ことごとくこの頚椎を経由して全身へ分布している。
【０００４】
具体的には、椎骨の１番目と２番目には呼吸に関わる神経が、２番目と３番目には頭部に関わる神経が、４番目と５番目には首と肩を支配する神経が、さらに、５番目から７番目には手、足の機能を支配している神経が存在する。
【０００５】
そのため、頚椎のどこかに強い圧力が加わったり障害があったりすると、その頚椎の支配する部分に傷みや、コリなどといった不快な症状が現れてくる。
【０００６】
このことから、睡眠時に、頸椎部を適切に支持し適正な睡眠姿勢を保つことは、安眠を得ると共に、健康を維持するうえでも重要であり、近年、頚椎支持型の枕が各種提案されている（例えば、特許文献１参照）。
【０００７】
図３は、頚椎支持型の枕を使用した理想的な睡眠姿勢を示す説明図である。同図に示すように、頚椎支持型の枕Ｐを使用して理想的な睡眠姿勢を保持するには、枕Ｐの頸椎支持部Ｐ１の高さを頸椎高さＨに一致させることが最も重要であり、また、頸椎支持部Ｐ１の長さを使用者の頸椎部から肩甲骨部までの長さＬに一致させることも重要である。
【０００８】
このように、適切な枕を選択あるいは設計するために、使用者の頸椎高さを知ることが必要であり、特許文献２には、枕設計用の頸椎高さ測定器が提案されている。
【０００９】
しかし、特許文献２の頸椎高さ測定器は、被測定者が仰向けになって使用する必要があり、利便性が悪い。また、仰向けでは、その姿勢によって頸椎高さが変わるので、理想的な睡眠姿勢における正確な頸椎高さを測定することは困難である。
【００１０】
また、特許文献３には、頸部と後頭部の位置関係を数値化し、適切な枕を選択するための頭部計測器が提案されている。
【００１１】
しかし、特許文献３の頭部計測器は、垂直基板を壁面又は椅子の背板に固定して使用するものであるため、頸椎高さを測定するに当たっては、計測体を垂直基板に対して垂直方向に摺動させて頸椎部に位置合わせする必要がある。このように、特許文献３の頭部計測器では、計測体の上下位置調節機構が必要であるため構成が複雑となり、また、固定式であるため使用場所が限定されるという問題がある。
【特許文献１】実用新案登録第３０６６０８６号公報
【特許文献２】特開２００２−３３６２１７号公報
【特許文献３】特許第２９６７４７３号公報
【考案の開示】
【考案が解決しようとする課題】
【００１２】
本考案が解決しようとする課題は、適切な枕を選択あるいは設計するために必要な頸椎高さを正確かつ簡便に測定することができる頸椎高さ測定器を提供することにある。
【課題を解決するための手段】
【００１３】
本考案の頸椎高さ測定器は、人体の両肩の肩甲骨部に当接させる横部材と、横部材に固定されて横部材から垂直上方に延びる縦部材と、縦部材に装着される測定部材とを備え、測定者が手に持って使用するようにしたものである。ここで、測定部材は、横部材を人体の両肩の肩甲骨部に当接させた状態において人体の頸椎部に対向する位置で縦部材に装着され、かつ、人体の頸椎部に向けて進退可能に装着される。そして、本考案では、頸椎高さの測定に際して、測定部材を装着した縦部材を垂直状態として頸椎高さを正確に測定するために、縦部材の垂直度を示す水準器を設けたことを特徴としている。
【００１４】
すなわち、本考案は、測定者が手に持って使用するハンディタイプとしたことによって利便性を向上させ、また、ハンディタイプであると頸椎高さの測定に誤差が生じやすいという問題を水準器によって解決し、利便性と正確性を両立させたものである。
【００１５】
このような構成の本考案では、測定者が手に持って横部材を両肩の肩甲骨部に水平に当接させた状態で測定部材を頸椎部に向けて前進させ、測定部材の先端が頸椎部に当接したときの突出長さを測定することにより、頸椎高さを測定することができる。
【００１６】
また、本考案では、測定部材の突出長さを簡単に測定するためには、測定部材に、縦部材からの突出長さを示す目盛を設けることが好ましい。
【００１７】
さらに、縦部材には、測定部材の人体の頸椎部に当接する位置から横部材までの垂直長さを示す目盛を設けることができる。これにより、頸椎部から肩甲骨部までの長さを簡単に測定することができ、先に図３で説明した頸椎支持部Ｐ１の長さを適切に設計または選択することができる。
【考案の効果】
【００１８】
本考案によれば、頸椎高さを正確かつ簡便に測定することができ、それぞれの使用者に適切な枕を容易かつ迅速に選択又は設計することができる。
【考案を実施するための最良の形態】
【００１９】
以下、図面に示す実施例に基づき本考案の実施の形態を説明する。
【００２０】
図１は、本考案の頸椎高さ測定器の一実施例を示し、（ａ）は分解斜視図、（ｂ）は組立状態の斜視図である。
【００２１】
同図に示す頸椎高さ測定具は、横部材１と、横部材１に固定されて横部材１から垂直上方に延びる縦部材２と、縦部材２に装着される測定部材３を主要な構成としている。
【００２２】
横部材１は、人体の両肩の肩甲骨部にまたがる程度の長さを有し、かつ、上下方向に所定の幅（実施例では約６ｃｍ）を有する。縦部材２には、横部材１を肩甲骨部に当接させたときに頸椎部に対向する位置に装着孔２ａが設けられており、この装着孔２ａに、先端を円弧状に形成した測定部材３が縦部材２と直交する方向に進退可能に装着されている。これによって、後に説明するように、測定部材３が頸椎部に向けて進退可能となる。
【００２３】
また、測定部材３には、縦部材２からの突出長さを示す目盛４が設けられている。この目盛４は、測定部材３の先端から縦部材２の幅Ｗ分だけ後方の位置を始点として設けられている。したがって、縦部材２の後端に重なる目盛４の数値が測定部材３の縦部材２からの突出長さを表すことになる。
【００２４】
一方、縦部材２には、測定部材３の最先端の位置に対応する位置を始点として下方に向けて目盛５が設けられている。この目盛５は、測定部材３が頸椎部に当接する位置から横部材までの垂直長さを示すもので、これによって、頸椎部から肩甲骨部までの垂直長さを測定することができる。
【００２５】
さらに、縦部材２には水準器６が設けられている。この水準器６により縦部材２の垂直度を常時把握することができるので、頸椎高さの測定時に縦部材２を常に垂直状態に維持することができる。
【００２６】
図２は、本考案の頸椎高さ測定器の使用状態を示す側面図である。同図に示すように、頸椎高さを測定する際には、被測定者に約３ｍ先の床面を見てもらい、その状態で、測定者が例えば縦部材２を持って、測定部材３が頸椎部に対向する位置となるように横部材１を両肩の肩甲骨部の頂点部分に水平に当接させ、水準器６を見ながら縦部材２を垂直に維持する。ここで、被測定者の体格によって、肩甲骨部から頸椎部までの長さは若干変わるが、横部材１は上下方向に幅を有しているので、上下にスライドさせて横部材１が肩甲骨部の頂点部分に当接する位置を変えることにより、測定部材３が頸椎部に対向するように位置調整する。
【００２７】
そして、図２に示すように、測定部材３を前進させて頸椎部に当接させ、目盛４により頸椎高さを測定する（実施例では約３ｃｍ）。また、目盛５により、頸椎部から肩甲骨部の頂点部分までの長さを測定する（実施例では約１４ｃｍ）。このようにして測定した頸椎高さ及び頸椎部から肩甲骨部の頂点部分までの長さに基づき、被測定者に適切な枕を選択又は設計する。
【産業上の利用可能性】
【００２８】
本考案は、既製の枕から適切な枕を選択するためと、オーダーメイドの枕を設計するための両方に適用可能である。
【図面の簡単な説明】
【００２９】
【図１】本考案の頸椎高さ測定器の一実施例を示し、（ａ）は分解斜視図、（ｂ）は組立状態の斜視図である。
【図２】本考案の頸椎高さ測定器の使用状態を示す側面図である。
【図３】頚椎支持型の枕を使用した理想的な睡眠姿勢を示す説明図である。
【符号の説明】
【００３０】
１  横部材
２  縦部材
２ａ  装着孔
３  測定部材
４，５  目盛
６  水準器
【図１】
0003108462.tif 000003
【図２】
0003108462.tif 000004
【図３】
0003108462.tif 000005